(57)【要約】【課題】  場所を移動したことをユーザが意識することなくユーザの好みのコンテンツの再生を可能とするコンテンツ再生システムを提供する。【解決手段】  ホームサーバ１２におけるコンテンツの利用履歴に基いてプレイリストを作成し、ユーザの外出時にユーザが身に付ける物に備えられたＲＦＩＤに記録する。車載サーバ１６においてＲＦＩＤが検出されることによりユーザの乗車が検出されたら、プレイリストを読み出し、不足分のコンテンツをホームサーバ１２から転送することにより、ユーザの好みのコンテンツの利用を可能とする。【選択図】      図１
2007047260.tif 000002
【特許請求の範囲】
【請求項１】
物品に設置されるＲＦＩＤタグと、
コンテンツの利用履歴に基いて複数のコンテンツを特定するプレイリストを作成し、該ＲＦＩＤタグに関連付けて記憶するホーム側装置と、
該ＲＦＩＤタグを検出するＲＦＩＤリーダを備え、検出されたＲＦＩＤタグに関連付けて記憶されているプレイリストにより特定されるコンテンツを利用可能とする移動側装置とを具備することを特徴とするコンテンツ再生システム。
【請求項２】
前記プレイリストは前記ＲＦＩＤタグに書き込まれることを特徴とする請求項１記載のコンテンツ再生システム。
【請求項３】
ユーザの外出の際に前記ＲＦＩＤタグに前記プレイリストを書き込むＲＦＩＤライタを備えたことを特徴とする請求項２記載のコンテンツ再生システム。
【請求項４】
所定の駐車場所に駐車した車両に設置された前記移動側装置と通信可能な範囲に設けられ、前記プレイリストにより特定され前記移動側装置に格納されていないコンテンツのデータを前記ホーム側装置から該移動側装置へ転送する送受信設備をさらに具備することを特徴とする請求項３記載のコンテンツ再生システム。
【請求項５】
前記ＲＦＩＤタグには移動側装置におけるコンテンツの利用履歴が書き込まれ、前記ホーム側装置は該移動側装置におけるコンテンツの利用履歴をも加味してプレイリストを作成することを特徴とする請求項４記載のコンテンツ再生システム。
【請求項６】
前記移動側装置は、前記プレイリストにより特定され該移動側装置に格納されていないコンテンツのデータを無線ネットワークを介して前記ホーム側装置から取得することを特徴とする請求項１記載のコンテンツ再生システム。
【請求項７】
移動側装置におけるコンテンツの利用履歴が前記無線ネットワークを介して移動側装置からホーム側装置へ転送され、前記ホーム側装置は該移動側装置におけるコンテンツの利用履歴をも加味してプレイリストを作成することを特徴とする請求項６記載のコンテンツ再生システム。
【発明の詳細な説明】
【技術分野】
【０００１】
本発明は、自宅内、車両内など、どこに居ても場所を移動したことをユーザが意識することなく、ユーザの好みのコンテンツを再生することを可能とするコンテンツ再生システムに関する。
【背景技術】
【０００２】
下記特許文献１には、マルチメディアプレーヤに対する操作の記録に基いて作成されたプレイリストをメモリカードなどの着脱可能な記録媒体に格納し、このメモリカードを多機能リモコンに装着して、機種の異なる他のマルチメディアプレーヤにおいても同じコンテンツの再生を可能にすることが開示されている。また、プレイリストを携帯電話などに記憶させ、外出先でこれを読み出して機能の異なる再生装置でこのプレイリストに従ってコンテンツを再生させることも記載されている。
【０００３】
しかしながら、異なる装置間で同じコンテンツを再生するためにはメモリカードの着脱あるいは携帯電話への記録、という操作が必要であり、場所の移動等に伴う再生装置の変更毎に面倒な操作を行なわなければならないという問題があった。
【０００４】
【特許文献１】特開２００５−４９３６号公報
【特許文献２】特開２００４−５８３２号公報
【特許文献３】特開２００４−３６１７１３号公報
【特許文献４】特開２００３−２６３４０６号公報
【発明の開示】
【発明が解決しようとする課題】
【０００５】
したがって本発明の目的は、場所を移動したことをユーザが意識することなく、ユーザの移動と共に自動的に移動先の環境でユーザの好みのコンテンツの再生を可能とするコンテンツ再生システムを提供することにある。
【課題を解決するための手段】
【０００６】
本発明によれば、物品に設置されるＲＦＩＤタグと、コンテンツの利用履歴に基いて複数のコンテンツを特定するプレイリストを作成し、該ＲＦＩＤタグに関連付けて記憶するホーム側装置と、該ＲＦＩＤタグを検出するＲＦＩＤリーダを備え、検出されたＲＦＩＤタグに関連付けて記憶されているプレイリストにより特定されるコンテンツを利用可能とする移動側装置とを具備することを特徴とするコンテンツ再生システムが提供される。
【０００７】
前記プレイリストは前記例えばＲＦＩＤタグに書き込まれる。
前記コンテンツ再生システムは、ユーザの外出の際に前記ＲＦＩＤタグに前記プレイリストを書き込むＲＦＩＤライタを備えることが好適である。
また、前記コンテンツ再生装置は、所定の駐車場所に駐車した車両に設置された前記移動側装置と通信可能な範囲に設けられ、前記プレイリストにより特定され前記移動側装置に格納されていないコンテンツのデータを前記ホーム側装置から該移動側装置へ転送する送受信設備をさらに具備することが好適である。
前記ＲＦＩＤタグには移動側装置におけるコンテンツの利用履歴が書き込まれ、前記ホーム側装置は該移動側装置におけるコンテンツの利用履歴をも加味してプレイリストを作成することがさらに好ましい。
前記移動側装置は、前記プレイリストにより特定され該移動側装置に格納されていないコンテンツのデータを前記送受信設備に代えて、無線ネットワークを介して前記ホーム側装置から取得することも可能である。
この場合に、移動側装置におけるコンテンツの利用履歴が前記無線ネットワークを介して移動側装置からホーム側装置へ転送され、前記ホーム側装置は該移動側装置におけるコンテンツの利用履歴をも加味してプレイリストを作成する。
【発明の効果】
【０００８】
ホーム側装置においてプレイリストを作成して例えばユーザが身に付ける物に備えられたＲＦＩＤに関連付けて記憶し、移動側装置において検出されたＲＦＩＤタグに関連付けて記憶されているプレイリストにより特定されるコンテンツを利用可能とすることにより、場所が変わったことをユーザが意識することなくユーザの好みのコンテンツの再生が可能となる。
このプレイリストをＲＦＩＤタグに書き込むことにより、移動側装置はＲＦＩＤリーダでその内容を読み出すことが可能となり、ユーザの好みのコンテンツが何であるかを知ることができる。
前記ＲＦＩＤライタによりユーザの外出の際にプレイリストを書き込むことにより、ユーザが特別の操作をすることなくＲＦＩＤタグにプレイリストが書き込まれる。
前述の構成の送受信設備を備えることにより、ユーザの好みのコンテンツが移動側装置に格納されていないときでもそれが自動的に補充されて利用可能となる。
移動側装置におけるコンテンツの利用履歴をも加味してプレイリストを作成することにより、移動側装置における利用状態をも反映したプレイリストが作成される。
前述の無線ネットワークを利用することによっても、ユーザの好みのコンテンツを移動側装置に自動的に補充することができる。
【発明を実施するための最良の形態】
【０００９】
図１は本発明の一実施形態に係るコンテンツ再生システムの概略構成を示す。
【００１０】
ＲＦＩＤ（Ｒａｄｉｏ  Ｆｒｅｑｕｅｎｃｙ  Ｉｄｅｎｔｉｆｉｃａｔｉｏｎ  Ｄａｔａ）タグ１０はメガネ、腕時計、携帯電話、キーホルダ、運転免許証などのユーザが身に付ける品物に埋め込み、または内蔵されている。なお、ＲＦＩＤタグとは、メモリ機能と無線送受信機能を有するＩＣチップであり、ＲＦＩＤリーダ／ライタから電磁波によりメモリ上のデータの読み出しおよび書き込みが可能である。ＲＦＩＤタグには、ＲＦＩＤリーダ／ライタからアンテナを経て電磁波を用いて電力を供給することにより、電池を必要とせずに使用可能なタイプがある。
【００１１】
ホームサーバ１２はコンテンツデータを格納するものであり、当該コンピュータ又は他のコンピュータにインストールされたクライアントソフトウェアによりコンテンツの再生が可能である。ホームサーバ１２はまた、公衆電話網（図示せず）を介してコンテンツを販売するサーバ（図示せず）からオンラインでコンテンツを購入してダウンロードすることも可能である。自動車に塔載された車載サーバ１６もまた、コンテンツデータを格納し再生することが可能であり、ガレージ２４に設置された無線ＬＡＮ等の送受信装置２６を介してホームサーバ１２からコンテンツデータを取得することができる。
【００１２】
ホームサーバ１２、玄関口１４、および車載サーバ１６にはそれぞれＲＦＩＤリーダ／ライタ１８，２０，２２が設けられており、ＲＦＩＤリーダ／ライタ１８，２０，２２とＲＦＩＤタグ１０との間の無線通信により、それぞれの場所に設けられたＲＦＩＤリーダ／ライタ１８，２０または２２から一定の距離以内に存在するＲＦＩＤタグ１０が格納するデータの読み出しおよび書き込みをすることができる。
【００１３】
ホームサーバ１２はユーザがどんなコンテンツを再生したかに基いてプレイリストを作成する。プレイリストとは、実際にユーザが再生したコンテンツのリストそのもの、またはユーザが再生したコンテンツの再生履歴から判断される個人の嗜好傾向から自動的に生成されるコンテンツのリストである。ホームサーバ１２は生成されたプレイリストをＲＦＩＤリーダ／ライタ１８を介してＲＦＩＤタグ１０に定期的に書き込む。さらに、玄関口１４に設けられたＲＦＩＤリーダ／ライタ２０はユーザの外出が検出されるとき、ホームサーバ１２から最新のプレイリストを受け取ってＲＦＩＤタグ１０に書き込む。
【００１４】
ユーザが自動車に乗り込むことにより、車載サーバ１６に接続されＲＦリーダ／ライタ２２がこのプレイリストが記録されたＲＦＩＤタグ１０を検出すると、車載サーバ１６はプレイリストにあって車載サーバ１６が保持していないコンテンツデータを、ガレージ２４に設けられた無線ＬＡＮ等の送受信設備２６を介してホームサーバ１２から取得する。ホームサーバ１２内にコンテンツデータがない場合には、車載サーバ１６によりオンライン購入を行うかどうか問い合わせ、購入する意向（スイッチ操作等により判断）であればホームサーバ１２に購入要求を行う。その購入要求を受け、ホームサーバ１２はコンテンツ販売サーバからコンテンツをダウンロードし、車載サーバ１６に提供する。これにより、ユーザは好みのコンテンツを車両内においても再生して楽しむことが可能となる。また、近距離無線通信回線を介してユーザが所持する携帯電話にプレイリストとそれにリストされたコンテンツデータを転送すれば、下車後においても好みのコンテンツを再生して楽しむことができる。携帯電話のメモリに格納し切れなかったコンテンツは公衆電話網を利用してホームサーバ１２に接続して取得するようにすれば良い。
【００１５】
車載サーバ１６（および携帯電話）において再生されたコンテンツのリストは利用履歴としてリストの更新時または下車時にＲＦＩＤタグ１０に自動的に書き込まれる。玄関口１４のＲＦリーダ／ライタ２０においてユーザの帰宅が検出されると、ＲＦＩＤタグ１０から利用履歴が読み出され、ホームサーバ１２へ送られる。ホームサーバ１２において次にプレイリストが作成されるときはホームサーバ１２における利用履歴だけでなく、このＲＦＩＤタグ１０から読み出された車載サーバ１６における利用履歴が加味されてプレイリストが作成される。例えばホームサーバ１２からコンテンツデータが取得されていたにもかかわらず利用していなければリストから除かれ、ホームサーバ１２から取得されていなかったにもかかわらず利用されているコンテンツはリストに追加される。
【００１６】
玄関口１４に設けられたＲＦＩＤリーダ／ライタ２０がＲＦＩＤタグを検出したとき、それがユーザの外出を意味するものであるか帰宅を意味するものであるかの判断は、例えば、図２に示すように、ＲＦリーダ／ライタ２０のアンテナをそのメインローブ２８がユーザの進行方向３０に対して傾くように配置し、電界強度の上昇時と下降時の傾きの違いにより判定することができる。すなわち、図２に示す配置においては、外出時には電界強度が急激に上昇した後緩やかに下降し、帰宅時には電界強度が緩やかに上昇した後急激に下降するので、両者を判別することができる。
【００１７】
或いはまた、ＲＦＩＤタグ１０から読み出されるデータにより外出／帰宅の判定をすることも可能である。すなわち、ＲＦＩＤタグ１０から読み出されるプレイリストとこれから書き込もうとするプレイリストを比較し、両者に違いがあれば外出時と判断してＲＦＩＤタグ１０に書かれているプレイリストを更新する。また、ＲＦＩＤタグ１０から読み出される利用履歴が前回読み出した利用履歴と異なっていれば帰宅時と判定して利用履歴を読み出す。
【００１８】
図３はユーザがこのシステムを最初に利用する際に実行される初期処理の一例を示すフローチャートである。この初期処理はユーザがホームサーバ１２に対して操作を行うことにより実行されるが、車載サーバ１６に対しても同様にして実行できるようにしても良い。図３において、初期処理が開始されると、ＲＦリーダ／ライタ１８（または２２）によりＲＦＩＤタグを検出し（ステップ１０００）、ＲＦＩＤリーダ／ライタ１８（２２）が検出するすべてのＲＦＩＤタグのリストを表示し（ステップ１００２）、ユーザの選択入力を待つ（ステップ１００４）。ＲＦＩＤタグが１つしか検出されないときは検出されたＲＦＩＤタグを登録して良いかの確認を求める。ユーザの選択操作または確認操作が行なわれるとそのＲＦＩＤタグを以下の処理に使用するＲＦＩＤタグとして登録し（ステップ１００６）、車載サーバ１６（ホームサーバ１２）へも伝達する。複数のユーザについてそれぞれＲＦＩＤを登録し、以下の処理を各ユーザについてそれぞれ独立に実行するようにしても良い。
【００１９】
図４はホームサーバ１２における処理の一例を示すフローチャートである。この処理は、定刻（所定時刻、あるいは所定時間毎）に実行される。定刻が来たらコンテンツ利用履歴内の情報をチェックし（ステップ１１０２）、それに基いてユーザが好むコンテンツを特定するプレイリストを作成してＲＦＩＤに書き込み（ステップ１１０４）、処理を終える。
【００２０】
図５は玄関口１４に設けられたＲＦリーダ／ライタ２０において登録されているＲＦＩＤタグが検出されたときの処理の一例のフローチャートである。この処理は、ＲＦＩＤタグが検出された時に実行される。なお、ＲＦＩＤタグの検出は、ＲＦＩＤリーダ／ライタ２０からＲＦＩＤ読取用の信号を連続して、あるいは短時間間隔で出力し、それに対する返送信号を監視することにより行う。前述したような判定処理により、「外出」であるのか「帰宅」であるのかを判定し（ステップ１２００）、外出であると判定されるときはホームサーバ１２からＲＦＩＤに最新のプレイリストをダウンロードする（ステップ１２０２）。「帰宅」と判定されるときはＲＦＩＤに書き込まれているコンテンツの利用履歴をホームサーバ１２へアップロードする（ステップ１２０４）。
【００２１】
図６は車載サーバ１６における処理の一例を示すフローチャートである。この処理は繰り返し実行される。前述の初期処理により登録されているＲＦＩＤタグが検出されることによりユーザの乗車が検出されると（ステップ１３００）、ＲＦＩＤタグ１０からプレイリストを読み出し（ステップ１３０２）、車載サーバ１６に格納されているコンテンツのリストと比較する（ステップ１３０４）。プレイリストにより特定されるコンテンツの中で車載サーバ１６に格納されていないものがあれば無線ＬＡＮ等の送受信設備２６によりホームサーバ１２から転送する（ステップ１３０６）。そして、その後ユーザがコンテンツを利用した時は（ステップ１３０８）利用履歴に記録する（ステップ１３１０）。
【００２２】
ＲＦＩＤタグからの電波の電界強度の低下によりユーザの降車を検知したら（ステップ１３１２）、利用履歴をＲＤＩＤタグ１０に書き込む（ステップ１３１４）。なお、ステップ１３１０において利用履歴が更新されるごとにＲＦＩＤタグ１０に書き込むようにすれば、降車を検知して書き込む処理（ステップ１３１２，１３１４）は不要である。
【００２３】
図７は本発明の第２の実施形態に係るシステムの構成を示す。本実施形態ではホームサーバ１２と車載サーバ１６との間が無線通信路を一部に含むインターネットなどの通信手段４０で直接接続されており、ホームサーバ１２で生成されたプレイリストやホームサーバ１２から車載サーバ１６から転送されるコンテンツデータはこの通信手段４０を介して直接転送される。したがってＲＦＩＤタグ１０にはプレイリストが書き込まれず、車載サーバ１６における利用履歴もＲＦＩＤタグ１０に書き込まれず通信手段４０を介して直接ホームサーバ１２へ転送される。つまり、ＲＦＩＤタグ１０を対応するプレイリストを特定するために用い、データそのものは、別の通信路で伝送するようにしたものである。
【００２４】
車載サーバ１６では、ＲＦＩＤリーダ４２がＲＦＩＤタグ１０を検出したらそれに対応するプレイリストの転送を通信手段４０によりホームサーバ１２へ要求し、不足するコンテンツデータもホームサーバ１２から直接転送することによりユーザに利用可能となる。
【図面の簡単な説明】
【００２５】
【図１】本発明の第１の実施形態に係るコンテンツ再生システムの概略構成を示す図である。
【図２】外出／帰宅の判定方法を説明する図である。
【図３】初期処理の一例を示すフローチャートである。
【図４】ホームサーバにおける処理の一例を示すフローチャートである。
【図５】外出／帰宅が検出された時の処理の一例を示すフローチャートである。
【図６】車載サーバにおける処理の一例を示すフローチャートである。
【図７】本発明の第２の実施形態に係るコンテンツ再生システムの構成を示す図である。
【図１】
2007047260.tif 000003
【図２】
2007047260.tif 000004
【図３】
2007047260.tif 000005
【図４】
2007047260.tif 000006
【図５】
2007047260.tif 000007
【図６】
2007047260.tif 000008
【図７】
2007047260.tif 000009